(57)【特許請求の範囲】
【請求項１】
信号読書用の窓（４）を開閉するシャッター（５）が設けてあるディスクカートリッジ（１）を収納対象としており、
上面が開口するケース本体（１０）と、ケース本体（１０）の上面開口を塞ぐ蓋体（１１）とで構成されて、前側面にディスクカートリッジ（１）用の出入口（１２）が開口しているブックケース型の収納ケースであって、
蓋体（１１）は、ケース本体（１０）の側壁（１５）と蓋体（１１）の蓋側壁（１９）との対向面間に設けたスライド機構で、前後スライド自在に案内支持されてケース上面の第２開口（１７）をスライド開閉でき、
ケース本体（１０）の底壁（１４）には、出入口（１２）の開口内縁壁に、インデックスカード（Ｃ）の出入口（１２）側の端縁を受け止めるリブ（３７）が突設されており、
出入口（１２）の側端に、シャッター（５）の端縁との接当干渉を避ける逃げ領域（Ｅ）が確保されており、
前記リブ（３７）が逃げ領域（Ｅ）を避けて突設されているディスクカートリッジ用の収納ケース。
【請求項２】
逃げ領域（Ｅ）が出入口（１２）の両側端に確保されており、
両逃げ領域（Ｅ）間の出入口（１２）の開口内縁壁に沿って、リブ（３７）が突設してある請求項１記載のディスクカートリッジ用の収納ケース。
【請求項３】
前記スライド機構が、ケース本体（１０）の側壁（１５）の内面に設けたガイド溝（２２）と、蓋体（１１）の蓋側壁（１９）に突設されてガイド溝（２２）内を前後スライドする軸（２１）とからなる請求項１又は２記載のディスクカートリッジ用の収納ケース。
【発明の詳細な説明】
【０００１】
【発明の属する技術分野】
本発明は、光ディスク等のディスクカートリッジを収納保存するためのブックケース型の収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケースの左右側壁の内奥寄りには一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。
【０００３】
収納ケースの内部には、ＭＤと共にインデックスカードを収めるが、出入口の開口幅が５〜６mm前後と小さいため、ＭＤを収納ケースから抜き出すとき、インデックスカードを同時に抜き出すことがある。ＭＤを収納ケースから抜き出した状態において、枚葉シート状のインデックスカードが出入口から滑り落ちることもある。
【０００４】
上記のような不具合を解消するために、本出願人は出入口の両側縁に、インデックスカードを受け止めるためのストッパーを突設した収納ケースを先に提案した（特願平８−２９５６４６号）。さらに、出入口の開口縁の全幅にわたって抜け止め用のリブを突設し、このリブでインデックスカードの抜け出しを防ぐようにした収納ケースも提案している。
【０００５】
【発明が解決しようとする課題】
上記のように、抜け止め用のリブを突設した収納ケースによれば、インデックスカードがＭＤと共に抜き出されるのを防止できる。しかし、抜け止め用のリブを備えた収納ケースで動作確認を行ったところ、新たな問題を生じることが判った。ＭＤには、信号読書窓をスライド開閉するシャッターが設けられているが、ＭＤを抜き出す際に、シャッターの端縁が先のリブに受け止められて引っ掛かるのである。とくに、インデックスカードを収納していない場合に引っ掛かりやすい。
本出願人はＭＤの出し入れを容易化するために、ケース本体とこれの上面をスライド開閉できる蓋体とで構成した収納ケースを提案しているが、このように片手でＭＤの取り出しを行える収納ケースにおいて、シャッターの端縁が引っ掛かりやすいのを確認している。蓋体をスライド開放したのち、ＭＤをスライドしながら出入口から抜き出すとき、シャッターのスライド凹部がリブの突端面に押し付けられて、シャッター端縁がリブに接当係合してしまうからである。
【０００６】
本発明の目的は、ディスクカートリッジと共に収容したインデックスカードが、ディスクカートリッジの取り出し時に不用意に抜き出し操作されたり、あるいはインデックスカードがケース外へ滑り出てしまうのを確実に防止でき、しかもシャッター付きのディスクカートリッジであっても支障なく取り出せる、ディスクカートリッジ用の収納ケースを提供することにある。
本発明の目的は、スライド開閉される蓋体を備えている収納ケースにおいて、蓋体の開放およびディスクカートリッジの取り出しを支障なく行う場合にも、ディスクカートリッジの取り出しを支障なく確実に行えるようにすることにある。
【０００７】
【課題を解決するための手段】
本発明の収納ケースは、信号読書用の窓４を開閉するシャッター５が設けてあるディスクカートリッジ１を収納対象としており、上面が開口するケース本体１０と、ケース本体１０の上面開口を塞ぐ蓋体１１とで構成されて、前側面にディスクカートリッジ１用の出入口１２が開口してあるブックケース型に構成する。出入口１２の開口内縁壁に、インデックスカードＣの出入口１２側の端縁を受け止めるリブ３７を突設する。シャッター５の端縁との接当干渉を避ける逃げ領域Ｅを出入口１２の側端に確保する。前記リブ３７は逃げ領域Ｅを避けて突設する。
【０００８】
具体的には、逃げ領域Ｅを出入口１２の両側端に確保し、両逃げ領域Ｅ間の出入口１２の開口内縁壁に沿って、リブ３７を突設する。蓋体１１は、ケース本体１０の側壁１５と蓋体１１の蓋側壁１９との対向面間に設けたスライド機構で、前後スライド自在に案内支持されてケース上面の第２開口１７をスライド開閉できる。スライド機構は、ケース本体１０の側壁１５の内面に設けたガイド溝２２と、蓋体１１の蓋側壁１９に突設されてガイド溝２２内を前後スライドする軸２１とからなる。ケース本体１０側の開口内縁壁にリブ３７を突設する。
【０００９】
【作用】
出入口１２の開口縁にリブ３７を突設するので、収納ケース内に収めたインデックスカードＣの出入口１２側の端縁をリブ３７で受け止めて、その抜け出しを阻止できる。従って、インデックスカードＣが誤ってディスクカートリッジ１と共に抜き出されたり、インデックスカードＣが自重で、あるいは外力を受けて出入口１２から滑り出るのを阻止できる。出入口１２の側端に逃げ領域Ｅを確保し、この領域Ｅを避けてリブ３７を設けるので、ディスクカートリッジ１を収納ケースからケース外へ抜き出し操作する際に、シャッター５の端縁がリブ３７に引っ掛かるのを解消できる。シャッター５の端縁は常に逃げ領域Ｅ内を通過するからである。
【００１０】
出入口１２の両側端に逃げ領域Ｅを確保すると、ディスクカートリッジ１が左右に反転された姿勢で収納ケースに装填してある場合にも、シャッター５の端縁がリブ３７に引っ掛かるのを防止できる。蓋体１１のスライド開放とディスクカートリッジ１の取り出しとを片手で連続して行う時には、親指以外の四指でケース本体１０を支えることが多い。こうした場合にはディスクカートリッジ１を親指でケース本体１０に押し付け気味にして取り出すが、このような状況下においても、出入口１２に逃げ領域Ｅを確保しておくことにより、シャッター５の引っ掛かりを確実に防止できる。
【００１１】
【実施例】
図面は本発明の実施例を示しており、これはＭＤ（ディスクカートリッジ）用の収納ケースに供するものである。図３においてＭＤ１は、光磁気ディスク２が薄角箱状のカートリッジケース３に収まっており、カートリッジケース３の上下両面の一側に開口した信号読み書き用の窓４をシャッター５でスライド開閉できる。カートリッジケース３の下ハーフ側の左右両側の後部には、位置決め用の凹部６が半長円状にそれぞれ凹設されている。カートリッジケース３の上面には、ディスクドライブに対する適正な装填方向を示す装填表示７が印刷してある。シャッター５はカートリッジケース３の上下面に浅く凹み形成したスライド凹部８の範囲内を開閉スライドできる。
【００１２】
図２において収納ケースは、ケース本体１０と蓋体１１とで収納室を区画した薄形角箱状のケースからなり、ケース前面にＭＤ１を出し入れするための出入口１２が設けてある。収納室の内部には、ＭＤ１と共にインデックスカードＣが収容される。
【００１３】
ケース本体１０は、底壁１４と、左右一対の側壁１５・１５と、底壁１４の後縁に立設した後壁１６とを一体に形成した、上面および前面が開口するプラスチック成形品からなり、ケース前面の開口が出入口１２となっており、ケース上面の開口が第２開口１７になっている。蓋体１１は、第２開口１７の全体を上面側から閉止する主面壁１８と、主面壁１８の左右両側の下面側に側壁１５と平行に突設した左右一対の蓋側壁１９と、主面壁１８の後縁の左右両端から下方に突設した蓋後壁２０とを一体に形成したプラスチック成形品からなり、透明ないし半透明のプラスチック材で形成する。両蓋側壁１９の対向間隔は、ＭＤ１の左右幅寸法より僅かに大きい。
【００１４】
ケース本体１０と蓋体１１とはスライド機構を介して連結されていて、先の第２開口１７を蓋体１１でスライド開閉できる。図２において、蓋体１１の左右蓋側壁１９の中途部の下端外面には、軸２１をそれぞれ外向きに突設する。ケース本体１０の左右側壁１５の後端下部にはガイド溝２２を設け、このガイド溝２２で軸２１を受け入れ支持してスライド機構を構成する。ガイド溝２２は、側壁１５の内面に突設したリブで区画する。ガイド溝２２の長さは、後述するロック体３０の装着位置との関係で規定しており、蓋体１１を後述する第１開放位置までスライド開放したとき、ロック体３０がケース後方へ十分に突出できる長さに設定されている。
【００１５】
蓋体１１は、主面壁１８がケース本体１０の左右側壁１５間に面一状に嵌まり込んで、第２開口１７を完全に閉止する図６（ａ）の閉じ位置と、図６（ｂ）の実線で示すように全体がガイド溝２２に沿って出入口１２から遠ざかる後ろ向きにスライド移動した第１開放位置と、図６（ｂ）の想像線で示すように全体が軸２１を中心にして上開き揺動し、第２開口１７の全体を開放する第２開放位置とに変位できる。蓋体１１の後方スライドを許すために、図２に示すごとくケース本体１０の後壁１６の左右両端には、それぞれ開口２５を設けてある。更に蓋体１１を揺動開閉するとき、蓋側壁１９がケース本体１０の底壁１４と接当干渉するのを防ぐために、蓋側壁１９の軸２１より後ろ側の壁面に逆Ｖ字形の切欠２６を設けてある（図６（ｂ）参照）。
【００１６】
閉じ位置において、蓋体１１が不用意にケース後方へスライド移動するのを規制するために、蓋側壁１９とケース本体１０の左右側壁１５との対向面間にそれぞれスライドロックを設ける。図４においてスライドロックは、蓋側壁１９の外側面の前端上部に突設した側面から見てＬ字状の係合片２７と、係合片２７に対応して両側壁１５の内側面の前端上部寄りに突設した平面視が台形状のロック壁２８とからなる。閉じ位置において、係合片２７の垂直壁部がロック壁２８の前方の係合案内面と接当係合して、蓋体１１が後方へスライドするのを接当規制する。更に、係合片２７の水平壁部はロック壁２８の下面側に位置して、蓋体１１が第２開口１７から浮き上がる向きに動こうとするのを阻止する。係合片２７とロック壁２８との係合力に抗して蓋体１１をスライド操作すると、主に側壁１５が弾性変形して、両者２７・２８の係合状態を解除できる。
【００１７】
収納ケースの取り扱い時にＭＤ１が滑落するのを防ぐために、蓋体１１の左右の蓋側壁１９にそれぞれロック体３０を設ける。図５においてロック体３０は、前後一対の係合爪３１を有するコ字枠状の基部３２と、基部３２の下部に連続する部分円弧状の弾性腕３３とを一体に形成したプラスチック成形品からなり、係合爪３１を蓋側壁１９に設けた装着穴に圧嵌係合して装着する。この装着状態において、弾性腕３３は蓋側壁１９に設けた切欠を介してケース内方に突出する。図５に示すようにＭＤ１を収納ケースに装填した状態では、弾性腕３３がカートリッジケース３の左右の凹部６に外側方から落ち込み係合して、ＭＤ１の抜け出しを防ぐ。
【００１８】
図２および図３に示すように、出入口１２の左右中央部には台形状の切欠部３４が形成してあって、ＭＤ１を収納ケースに収納した状態において、その前部中央が切欠部３４から露出するようにしてある。この露出部と収納ケースを両手でつかんでＭＤ１を抜き出し操作するためである。切欠部３４は、ケース本体１０の底壁１４と、蓋体１１の主面壁１８とにそれぞれ切り欠き形成してある。
【００１９】
インデックスカードＣは、ケース本体１０の底壁に沿う第１紙面３５と、第１紙面３５の後縁に折り起こされた第２紙面３６とからなる。インデックスカードＣの不用意な抜け出しを防ぐために、出入口１２の開口内縁にリブ３７を設ける。リブ３７はケース本体１０の底壁１４側に限って前記切欠部３４を含む開口縁に沿って突設する。その突出寸法はインデックスカードＣの厚みと同じか、これより僅かに小さく設定する。インデックスカードＣの出入口１２側の端縁形状は、リブ３７の内縁形状に合致して形成する。
【００２０】
先に説明したように、ＭＤ１のシャッター５は、カートリッジケース３の外面に設けたスライド凹部８に被さっており、スライド凹部８とシャッター５の上下表面との間に、シャッター５の厚み寸法に相当する段差が形成される。この段差部分、とくにカートリッジケース３の側端寄りに位置する、シャッター５の端縁側の段差部分が前記リブ３７に引っ掛かるのを避けるために、出入口１２におけるリブ３７の形成範囲を次のように設定する。
【００２１】
ＭＤ１を収納ケースから抜き出す際に、シャッター５の端縁とその周辺部分が通過する領域を逃げ領域Ｅとして確保し、この領域Ｅを避けてリブ３７を突設する。この実施例では、出入口１２の左右両側端に逃げ領域Ｅを確保し、両逃げ領域Ｅ間の出入口１２の開口内縁壁に沿って、リブ３７をハット形に突設した。逃げ領域Ｅは、ＭＤ１が適正な装填姿勢で収納ケースに収納される限り、出入口１２の右側端にのみ設けるだけで足りる。しかし、出入口１２の左右に逃げ領域Ｅを設けると、ＭＤ１が左右に反転された姿勢で収納される場合にも、シャッター５がリブ３７に引っ掛かるのを同時に解消できる。
【００２２】
上記のように構成した収納ケースは、図７に示すように親指と他の四指とで収納ケースの上下面を挟持し、蓋体１１を親指でケース後方へ押し出し、ロック体３０と凹部６との係合を解除した後、ＭＤ１を親指で手前側へ引き寄せて収納ケースから取り出すことができる。このとき、ＭＤ１はケース本体１０の底壁１４に押し付け気味にスライド操作されるので、図１に示すようにＭＤ１の全体が僅かに傾き、シャッター５の端縁が底壁１４で受け止められることがある。こうした場合でも、シャッター５の端縁の通過領域に対応して、リブ３７を省略して逃げ領域Ｅを確保してあるので、ＭＤ１の取り出しを支障なく行える。
【００２３】
上記の実施例では、リブ３７を出入口１２の開口縁に沿って連続形成したが、断続する複数のリブで形成してもよい。蓋体１１は閉じ位置から９０度起立した位置まで開放できるに越したことはないが、第２開放位置において主面壁１８が傾斜する状態であってもよく、単に閉じ位置と第１開放位置との間でスライド開閉できるものでもよい。  
【００２４】
【発明の効果】
本発明では、出入口１２の開口内縁壁にリブ３７を設けるので、ケース内に収容したインデックスカードＣが不用意に抜け出るのを防止できる。さらに、出入口１２の側端に確保した逃げ領域Ｅを避けてリブ３７を形成するので、ディスクカートリッジ１を収納ケースから抜き出す際に、そのシャッタ５の端縁がリブ３７に引っ掛かるのを防止でき、ディスクカートリッジ１の取り出しを支障なく行える。つまり、ディスクカートリッジ１の取り出し時に、インデックスカードＣが同時に抜き出されるのを防止できるうえ、ディスクカートリッジ１のみが収納ケースに収納してある場合であっても、その取り出しを支障なく行える。片手操作のみで取り出しを行う場合にも、同様にディスクカートリッジ１を容易に取り出すことができる。
【図面の簡単な説明】
【図１】リブとディスクカートリッジとの関係を示す要部の縦断正面図ある。
【図２】蓋体とケース本体とを分離した状態での斜視図である。
【図３】収納ケースの内部構造を示す一部破断平面図である。
【図４】図３におけるＡ−Ａ線断面図である。
【図５】図３におけるＢ−Ｂ線断面図である。
【図６】蓋体の動作を説明する縦断側面図である。
【図７】収納ケースの使用状態を示す斜視図である。
【図８】リブ形状を示すケース本体の内部平面図である。
【符号の説明】
１  ディスクカートリッジ（ＭＤ）
５  シャッター
１０  ケース本体
１１  蓋体
１２  出入口
３７  リブ
Ｃ  インデックスカード
Ｅ  逃げ領域
【図１】
0003755780.tif 000002
【図２】
0003755780.tif 000003
【図３】
0003755780.tif 000004
【図４】
0003755780.tif 000005
【図５】
0003755780.tif 000006
【図６】
0003755780.tif 000007
【図７】
0003755780.tif 000008
【図８】
0003755780.tif 000009